(57)【要約】【課題】  シート状の飾材が使用可能で、飾材の取り付け後にガタツキや異音発生がなく、従来と比べてコストが低減可能なベッドを提供することを目的とする。【解決手段】  ベッド１は、ヘッドボード２、フットフレーム３、サイドレール４、５を連結固定してなるベッドフレーム６と、ベッドフレーム６の側面に被覆固定される飾材３０と、を備え、フットフレーム３及びサイドレール４、５の側面は、長手方向に延在して飾材３０の一辺３１が挿入する第１溝２０と第１溝２０と平行に設けられ飾材３０の一辺３１と対向する他辺３２が挿入する第２溝２１とを有し、飾材３０はシート状で、フットフレーム３及びサイドレール４、５の側面形状に密着して、着脱可能に設けられる構成とした。【選択図】  図５
2011245085.tif 000002
【特許請求の範囲】
【請求項１】
ヘッドボード、フットボード、サイドボードを連結固定してなるベッドフレームと、前記ベッドフレームの側面に被覆固定される飾材と、を備えるベッドであって、
前記フットボード及び前記サイドボードの少なくともいずれか一方の側面は、長手方向に延在して前記飾材の一辺が挿入する第１溝と、前記第１溝と平行に設けられ前記飾材の一辺と対向する他辺が挿入する第２溝と、を有し、
前記飾材は、シート状で、前記フットボード及び前記サイドボードの少なくともいずれか一方の側面形状に密着し、着脱可能に設けられる、ことを特徴とするベッド。
【請求項２】
前記飾材は、前記第１溝と前記第２溝との間を被覆固定する、ことを特徴とする請求項１に記載のベッド
【請求項３】
前記飾材は、リバーシブルである、ことを特徴とする請求項１又は請求項２に記載のベッド。
【請求項４】
前記フットボードと前記サイドボードの長手方向に垂直な断面の形状は同一であり、アルミ材料から構成される、ことを特徴とする請求項１乃至３のいずれか一項に記載のベッド。
【発明の詳細な説明】
【技術分野】
【０００１】
本発明は、ベッドフレームのフットボード、サイドボードの側面に被覆固定される飾材を備えたベッドに関する。
【背景技術】
【０００２】
従来技術として、ベッドフレームの側面に幕板（飾材）を装着するベッドで、幕板の裏面に取付具を備え、取付具はベッドフレームに密接する第１の係止枠と、第１係止枠に嵌合する第２の係止枠と、から構成されるものがある（特許文献１を参照）。
【０００３】
また、床部を保持するベッドフレームの長手側の側面に幕板（飾材）を装着するベッドで、ベッドフレームの長手側の側面に所要間隔を隔てて複数の穴を形成する一方、幕板側に複数の穴に対応して穴に係止する取付金具と、取付金具を穴にがたつかないように係止させるためのガタ止め部材とを設け、幕板がベッドフレームの長手側の側面の所定の位置に装着固定できるように位置決め固定手段を設けたものがある（特許文献２を参照）。
【先行技術文献】
【特許文献】
【０００４】
【特許文献１】特開２０００−３１６６７３号公報
【特許文献２】特開平８−４００号公報
【発明の概要】
【発明が解決しようとする課題】
【０００５】
しかしながら、特許文献１のベッドでは、幕板の裏面に設けた取付具で幕板をベッドフレームに固定するため、剛性の高い幕板（例えば木製）には使用できるが、剛性の低いシート状の幕板は変形するため使用できない問題がある。更に、幕板のベッドフレームへの固定は、取付具の第１係止枠、第２係止枠をベッドフレームに巻き込んで固定するため、ベッドフレーム及び取付具の寸法のバラツキによる隙間の発生又は組付け不良によりガタツキや異音発生の問題がある。
【０００６】
また、特許文献２のベッドでは、ベッドフレームは幕板を固定するための長穴を備えるが、ベッドフレーム及び幕板は２ｍ前後と長尺のため、長穴間距離のバラツキによる隙間の発生又は組付け不良によるガタツキや異音発生の問題がある。更に、長穴部での強度がベッドフレームの強度となるため、長穴部の強度低下を加味したベッドフレーム構造が必要であり、コストアップの要因になる。
【０００７】
そこで、本発明は、上記問題点に鑑みてなされたものであり、シート状の飾材の使用が可能で、飾材の取り付け後にガタツキや異音発生の問題がなく、従来と比べてコストが低減できるベッドを提供することを目的とする。
【課題を解決するための手段】
【０００８】
本発明の第１の課題解決手段は、ヘッドボード、フットボード、サイドボードを連結固定してなるベッドフレームと、前記ベッドフレームの側面に被覆固定される飾材と、を備えるベッドであって、前記フットボード及び前記サイドボードの少なくともいずれか一方の側面は、長手方向に延在して前記飾材の一辺が挿入する第１溝と、前記第１溝と平行に設けられ前記飾材の一辺と対向する他辺が挿入する第２溝と、を有し、前記飾材は、シート状で、前記フットボード及び前記サイドボードの少なくともいずれか一方の側面形状に密着し、着脱可能に設けられる構成としたことである。
【０００９】
この場合、前記飾材は、前記第１溝と前記第２溝との間を被覆固定する構成であることが好ましい。
【００１０】
また、前記飾材は、リバーシブルな構成であることが好ましい。
【００１１】
また、前記フットボードと前記サイドボードの長手方向に垂直な断面の形状は同一であり、アルミ材料から構成されることが好ましい。
【発明の効果】
【００１２】
本発明のベッドでは、フットボード及びサイドボードの少なくともいずれか一方の側面に飾材の一辺が挿入する第１溝と飾材の他辺が挿入する第２溝とを備え、飾材がフットボード及びサイドボードの少なくともいずれか一方の側面形状に密着するため、シート状の飾材の使用が可能であり、飾材の取り付け後にガタツキや異音発生の問題がなく、従来と比べてコストが低減できる。
【００１３】
また、飾材は、第１溝と前記第２溝との間を被覆固定する構成のため、使用者はベッドフレームを連結固定し、且つ、マットレスを床板に載置したままフットボード又はサイドボードの側面に飾材の着脱が可能である。
【００１４】
また、飾材はシート状で取付具等が不要なため、リバーシブルな構成が可能で、使用者の好みに応じた意匠の飾材（表裏）を選択できる。
【００１５】
また、フットボードとサイドボードを長手方向に垂直な断面の形状が同一のアルミ材料で構成することで、第１溝と第２溝を有するサイドボード及びフットボードの押出し成形が可能となり、サイドボード及びフットボードを安価に製作できる。
【図面の簡単な説明】
【００１６】
【図１】本発明の一実施形態におけるベッドの平面図である。
【図２】図１に示すベッドの正面図である。
【図３】図２に示すベッドのＡ−Ａ断面図である。
【図４】ベッドフレームのサイドレールとフットフレームの連結固定状態を示す要所部分拡大図である。
【図５】図３に示すサイドレールのＢ部での拡大断面図である。
【図６】サイドレールの変形例である。
【発明を実施するための形態】
【００１７】
以下に本発明の実施の形態を図面に基づいて詳細に説明する。
【００１８】
図１は、本発明のベッド１の平面図である。ベッド１は、ヘッドボード２、フットフレーム３（フットボード）、左右のサイドレール４、５（サイドボード）を連結固定して構成されるベッドフレーム６と、サイドレール４、５の間に架設した床板７とを備える。フットフレーム３、左右のサイドレール４、５の側面には、後述する着脱可能なシート状の飾材３０が被覆固定される。
【００１９】
図２は、本発明のベッド１の正面図である。フットフレーム３、左右のサイドレール４、５の側面には、長手方向に延在する第１溝２０と第１溝２０と平行に設けられる第２溝２１とが設けられる。床板７には、マットレス８が載置され、左右のサイドレール４、５には脚９が取り付けられる。
【００２０】
図３は、本発明のベッド１のＡ−Ａ断面図である。左右のサイドレール４、５及びフットフレーム３は、内部が中空のアルミ材料から構成される。サイドレール４、５及びフットフレーム３はアルミの押出し加工で成形されたもので、長手方向に垂直な断面の形状は同一である。
【００２１】
図４は、フットフレーム３とサイドレール５の連結固定状態を示す部分拡大図である。サイドレール５の内部には、フットフレーム３を取り付けるためのＬ字形の接続金具１０が設けられる。フットフレーム３には、サイドレール５に設けたＬ字形の接続金具１０のネジ穴１１に合う位置に穴１２が設けられる。フットフレーム３にＬ字形接続金具１０に差し込んで、ボルト１３を締結することで、フットフレーム３とサイドレール５が連結固定される。フットフレーム３とサイドレール４の連結固定状態も同様である。また、フットフレーム３とサイドレール４、５との接合部のスキマには、樹脂等のコーナー部材１４を取り付けて、使用者から接合部のスキマが見えない構成になっている。
【００２２】
図５は、サイドレール５のＢ部拡大図である。サイドレール５の長手方向に延在する第１溝２０には飾材３０の一辺３１が挿入され、第２溝２１には飾材３０の一辺３１と対向する他辺３２が挿入される。飾材３０は、表面と裏面が装飾されたリバーシブルな構成で弾力性を有するシート状の樹脂材料（例えば、ＰＥＴ等）で、第１溝２０と第２溝２１との間を被覆固定する。飾材３０は、サイドレール５の側面形状に密着して、着脱可能な構成である。この場合、飾材３０の裏面には、サイドレール５の側面形状に密着できるよう吸着面を有していると良い。
【００２３】
本実施例のベッド１のサイドレール５に飾材３０を取り付ける手順について説明する。サイドレール５が見える状態で第１溝２０に飾材３０の一辺３１を挿入する。次に第２溝２１に飾材３０の他辺３２を挿入する。飾材３０が弾力性を有するため、飾材３０はサイドフレーム５の曲面の形状に沿って湾曲して密着し、第１溝２０と第２溝２１に保持されてサイドフレーム５の側面を被覆固定する。飾材３０を取り外す場合は、飾材３０の第１溝２０と第２溝２１の間の中央部付近を図面向かって右側（側面外側）に引く。そうすることで、第１溝２０と一辺３１及び第２溝２１と他辺３２の係合が外れ、飾材３０を取り外すことができる。飾材３０はリバーシブルな構成のため、表裏を反対にして、再度取り付けることができる。
【００２４】
飾材３０がシート状の柔らかな材料の場合は、飾材３０の一方の面に取り外し可能な粘着材を塗布することで、サイドフレーム５と飾材３０とが密着して、被覆固定が可能である。飾材３０のサイドレール５への着脱の手順について説明したが、フットフレーム３、サイドレール４の着脱も同様である。
【００２５】
本実施例のベッド１では、フットフレーム３及びサイドフレーム４、５の側面に飾材３０の一辺３１が挿入する第１溝２０と飾材の他辺３２が挿入する第２溝２１とを備え、飾材３０をフットフレーム３、サイドフレーム４、５の側面形状に沿って密着することで、シート状の飾材３０の使用が可能であり、飾材３０の取り付け後にガタツキや異音発生の問題がなく、従来と比べて飾材３０のコストが低減できる。
【００２６】
また、飾材３０は、第１溝２０と第２溝２１との間を被覆固定する構成のため、使用者はベッドフレーム６を連結固定し、且つ、マットレス８を床板７に載置した状態でフットフレーム３又はサイドフレーム４、５の側面に飾材３０の着脱が可能である。
【００２７】
また、飾材３０はシート状で取付具等が不要なため、本実施例では一例として表面を木目調の図柄にしているが、リバーシブルな構成が可能で、使用者の好みに応じた意匠の飾材３０（例えば、表裏を異なった色、異なった模様、異なった図柄等を設けることができる）を選択できる。また、飾材３０は弾性力のある複数のシート状の材質から成るものを張り合わせても良い。
【００２８】
また、フットフレーム３とサイドフレーム４、５を長手方向に垂直な断面の形状が同一のアルミ材料から構成することで、第１溝２０と第２溝２１を有するフットフレーム３とサイドフレーム４、５の押出し成形が可能となり安価に製作できる。
【００２９】
図６は、サイドレール５ａで、図５のサイドレール５の変形例である。サイドレール５ａとサイドレール５の違いは、第１溝２０ａと第２溝２１ａの形状の違いであり、その他の構成は、サイドレール５と同様である。同一の構成・作用については、同一の符号を用いて説明する。
【００３０】
第１溝２０ａと第２溝２１ａの溝の深さ方向は、図面の左側（側面斜め内側）に向かって設けられる。飾材３０の一辺３１と他辺３２は、第１溝２０ａと第２溝２１ａと嵌合する。
【００３１】
飾材３０はサイドフレーム５ａの曲面の形状に沿って密着し、第１溝２０ａと第２溝２１ａに保持され、第１溝２０ａと第２溝２１ａの間を被覆固定する。飾材３０がシート状の柔らかな材料の場合は、飾材３０の一方の面に粘着力が弱く取り外しが可能な粘着材を塗布することで、サイドフレーム５ａと飾材３０が密着して、被覆固定が可能になる。その他の効果はサイドフレーム５と同様である。
【符号の説明】
【００３２】
１  ベッド
２  ヘッドボード
３  フットフレーム（フットボード）
４  サイドレール（サイドボード）
５  サイドレール（サイドボード）
６  ベッドフレーム
２０  第１溝
２１  第２溝
３０  飾材
３１  一辺
３２  他辺
【図１】
2011245085.tif 000003
【図２】
2011245085.tif 000004
【図３】
2011245085.tif 000005
【図４】
2011245085.tif 000006
【図５】
2011245085.tif 000007
【図６】
2011245085.tif 000008